(57)【要約】トランザクションのための金融口座データを、無線で送信および受信するように構成される、入力センサと、メモリユニットと、処理ユニットと、アンテナとを含む、移動通信デバイスを記載する。該アンテナは、該メモリユニット上に格納されるデータの要求を受信するように構成され、かつ該デバイスの特定のコンポーネントに電力供給するために、磁界から電圧を誘起するように構成され得る。該入力センサは、該コンポーネントが、該磁界からそのようにして電力供給され得るかどうか、制御することができる。あるいは、別様に、該入力センサの入力は、該デバイスの機能性を制御し得る。一実施例として、該入力センサにより受信される入力を表すデータは、該要求されたデータに加えて送信され得る。
2009536509.tif 000002
【特許請求の範囲】
【請求項１】
移動通信デバイスであって、
トランザクションにおいて用いる金融口座情報を格納するように構成される、メモリユニットと、
入力を受信するように構成される、入力センサと、
アンテナであって、
トランザクションに適用するための該金融口座情報の要求を含む信号を備える第１の組の電磁波を無線で受信し、
該金融口座情報を含む第２の組の電磁波を備える無線信号を該要求に応答して送信するように構成される、アンテナと、
該メモリユニットと、該入力センサと、該アンテナとに連結される処理ユニットであって、
該要求されたデータを検索するために、該メモリユニットにアクセスし、
該無線信号を介した送信のために、追加の組のデータを該金融口座情報に追加するように構成され、該追加の組のデータは、該入力センサからの該受信された入力を表す、処理ユニットと
を備える、移動通信デバイス。
【請求項２】
前記メモリユニットは、セキュアな格納領域をさらに備え、
前記処理ユニットは、前記入力センサにおいて受信される入力に基づいて、該セキュアな格納領域へのアクセスを制御するように構成される、請求項１に記載の移動通信デバイス。
【請求項３】
前記処理ユニットは、実質的に同時発生の入力が、前記入力センサにおいて受信されない限り、前記セキュアな格納領域へのアクセスを回避するように構成される、請求項２に記載の移動通信デバイス。
【請求項４】
前記入力センサは、第１の状態と第２の状態とに制限される、請求項１に記載の移動通信デバイス。
【請求項５】
前記入力センサからの前記受信された入力は、何の入力も含まず、
該受信された入力は、該入力センサを前記第１の状態にさせる、請求項４に記載の移動通信デバイス。
【請求項６】
前記入力センサは、複数の入力センサを備え、
該複数のセンサ間の入力の異なる組み合わせは、該入力センサに対して、異なる結果の状態をもたらす、請求項１に記載の移動通信デバイス。
【請求項７】
前記入力センサは、
生体測定読み取りと、
パスワード入力と
を受信する、請求項６に記載の移動通信デバイス。
【請求項８】
前記パスワード入力は、前記複数の入力センサのサブセットにおいて受信される入力を含む、請求項７に記載の移動通信デバイス。
【請求項９】
前記アンテナは、前記提示機器のための電圧を誘起するために、外部電源から電力を引き出すように、さらに構成され、
前記処理ユニットは、前記入力センサにおいて受信される入力をともなわずに、該外部電源から電力供給されることから回避される、請求項１に記載の移動通信デバイス。
【請求項１０】
前記入力センサは、デュアル接点スイッチ、静電容量スイッチ、光センサ、多位置型スライドスイッチ、およびそれらの任意の組み合わせからなる群からの選択を備える１つ以上の入力センサを含む、請求項１に記載の移動通信デバイス。
【請求項１１】
前記金融口座情報は、クレジットカード口座番号、デビットカード口座番号、ＡＴＭカード口座番号、ストアドバリュー口座番号、または銀行預金口座番号を含む、請求項１に記載の移動通信デバイス。
【請求項１２】
前記入力センサは、前記移動通信デバイスのキーパッドとは別個である、請求項１に記載の移動通信デバイス。
【請求項１３】
前記メモリユニットと、前記入力センサと、前記アンテナと、前記処理ユニットとは、前記移動通信デバイスの移動通信コンポーネントから独立している、請求項１に記載の移動通信デバイス。
【請求項１４】
前記処理ユニットは、前記無線信号を介した送信のために、単一のデータパケット内に前記追加の組のデータと前記金融口座情報とを一緒にカプセル化するようにさらに構成される、請求項１に記載の移動通信デバイス。
【請求項１５】
移動通信デバイスであって、
トランザクションに適用するための金融口座情報の要求を含む信号を備える第１の組の電磁波を無線で受信するための手段と、
入力を受信するための手段と、
データを格納するための手段と、
第２の組の電磁波を無線で送信するための手段であって、
該格納手段からの該要求された金融口座情報と、
該受信された入力を表すデータと
を含む信号を備える、第２の組の電磁波を無線で送信するための手段と
を備える、移動通信デバイス。
【請求項１６】
前記入力手段で受信される入力に基づいて、セキュアな格納領域へのアクセスを制御するように構成される処理手段であって、
前記データを格納するための手段は、該セキュアな格納領域をさらに備える、処理手段
をさらに備える、請求項１５に記載の移動通信デバイス。
【請求項１７】
前記移動通信デバイスに対する電圧を誘起するために、外部電源から電力を無線で引き出すための手段であって、
前記無線で送信するための手段は、前記入力手段で受信される実質的に同時発生の入力をともなわずに、該外部電源から電力供給されることから回避される、手段
をさらに備える、請求項１５に記載の移動通信デバイス。
【請求項１８】
移動通信デバイスであって、
トランザクションにおいて用いる金融口座情報を格納するように構成される、メモリユニットと、
該メモリユニットと連結されるアンテナであって、
トランザクションに適用するための該金融口座情報の要求を含む信号を備える第１の組の電磁波を無線で受信し、
該金融口座情報を含む第２の組の電磁波を備える無線信号を該要求に応答して送信する
ように構成される、アンテナと、
該メモリユニットと連結され、入力を受信するように構成される入力センサであって、該要求された情報は、第１の入力が、該要求の受信と実質的に同時発生でない限り、送信されることから回避される、入力センサと
を備える、移動通信デバイス。
【請求項１９】
前記メモリユニットと連結され、前記受信された第１の入力にかかわらず、非セキュアな格納領域へのアクセスを可能にするように構成される、処理ユニットであって、
該メモリユニットは、該非セキュアな格納領域をさらに備える、処理ユニット
をさらに備える、請求項１８に記載の移動通信デバイス。
【請求項２０】
前記入力センサと連結される処理ユニットであって、
該入力センサからの前記第１の入力を受信し、
該受信された第１の入力に少なくとも部分的に基づいて、前記メモリユニット上に格納される前記要求されたデータが送信されるかどうか制御する
ように構成される、処理ユニット
をさらに備える、請求項１８に記載の移動通信デバイス。
【請求項２１】
前記アンテナは、前記提示機器に電力供給するために、磁界から電圧を誘起するように構成される誘導的に結合したトランスポンダを備え、
前記受信された第１の入力は、前記処理ユニットが、該磁界から電力供給され得るかどうか決定する、請求項２０に記載の移動通信デバイス。
【請求項２２】
前記メモリユニットは、追加のセキュアな格納領域をさらに備え、
前記処理ユニットは、前記入力センサにおいて受信される第２の入力に基づいて、該追加のセキュアな格納領域へのアクセスを制御するように構成される、請求項１８に記載の移動通信デバイス。
【請求項２３】
前記入力センサは、第１の状態と第２の状態とに制限される、請求項１８に記載の移動通信デバイス。
【請求項２４】
前記入力センサからの前記受信された入力は、何の入力も含まず、
該受信された入力は、該入力センサを前記第１の状態にさせる、請求項２３に記載の移動通信デバイス。
【請求項２５】
前記入力センサは、複数の入力センサを備え、
該複数のセンサ間の入力の異なる組み合わせは、該入力センサに対して、異なる結果の状態をもたらす、請求項１８に記載の移動通信デバイス。
【請求項２６】
前記入力センサは、デュアル接点スイッチ、静電容量スイッチ、光センサ、多位置型スライドスイッチ、およびそれらの任意の組み合わせからなる群からの選択を備える１つ以上の入力センサを含む、請求項１８に記載の移動通信デバイス。
【請求項２７】
前記金融口座情報は、クレジットカード口座番号、デビットカード口座番号、ＡＴＭカード口座番号、ストアドバリュー口座番号、または銀行預金口座番号を含む、請求項１８に記載の移動通信デバイス。
【請求項２８】
前記入力センサは、前記移動通信デバイスのキーパッドとは別個である、請求項１８に記載の移動通信デバイス。
【請求項２９】
移動通信デバイスであって、
電圧を生成するために、該移動通信デバイスの外部の電源から電力を無線で引き出すための手段と、
トランザクションに適用するための前記金融口座情報の要求を含む信号を備える第１の組の電磁波を無線で受信するための手段と、
該受信された組のデータを処理するための手段と、
応答信号を備える第２の組の電磁波を無線で送信するための手段と、
入力を受信するための手段であって、該入力は、該処理手段に対する電圧を生成するために、該引き出す手段が、該外部の電源から電力を無線で引き出すことが可能かどうか制御する、手段と
を備える、移動通信デバイス。
【発明の詳細な説明】
【技術分野】
【０００１】
（関連出願の引用）
本出願は、２００６年５月４日に出願された米国特許出願第１１／３８１，６３０号「ＲＦ  Ｐｒｅｓｅｎｔａｔｉｏｎ  Ｉｎｓｔｒｕｍｅｎｔ  ｗｉｔｈ  Ｓｅｎｓｏｒ  Ｃｏｎｔｒｏｌ」からの優先権を主張し、上記出願の一部継続出願である。上記出願の全体が本願明細書において説明されたかのように、すべての目的に対して、上記出願は参照によって本願明細書に援用される。
【０００２】
本発明は、概して、無線通信に関し、特に、統合されたＲＦ提示機器（ｐｒｅｓｅｎｔａｔｉｏｎ  ｉｎｓｔｒｕｍｅｎｔ）を有する通信デバイスに関する。
【背景技術】
【０００３】
（本発明の背景）
集積回路のサイズと費用とが下降推移を続けてきたと同時に、マイクロプロセッサは、拡大し続ける範囲のデバイスに統合されてきた。集積回路と同様に、無線コンポーネントの大きさと費用とは、同様の下降推移を示してきた。技術と製造とにおけるこれらの進歩により、非接触型スマートカードが急増し始めてきた。これらの非接触型スマートカードは、内部電源を有さず受動的である場合が多く、したがって、磁界を介して、または他の手段を通じて、無線で電力供給される。あるいは、小バッテリが、電源として組み込まれ得る。
【０００４】
最近の一開発は、非接触型スマートカードの機能性の、移動通信デバイスへの統合である。本機能性は、クレジットまたはデビットカード口座を使用して、トランザクションを処理するために適用され得る。本提示機器の機能性が起動するとき（可能性としては、スキャナまたは他の販売時点管理デバイスにより生成される磁界による）、そこに格納されるユーザの口座情報は、電波信号を介して送信され得る。この無線起動および送信により、多くの場合、窃盗または他の悪用のリスク増加があり得る。上記信号内に含まれる口座情報を監視、あるいは収集するように構成され得る、コンポーネントが利用可能である。
【発明の開示】
【発明が解決しようとする課題】
【０００５】
そのような電波信号が暗号化され得る一方で、この保護を回避するために、ますます高度化する技術が開発されている。したがって、これらの理由および他の理由により、改善されたセキュリティを提供する、代替のデバイス構成を実装することが望ましい場合がある。
【課題を解決するための手段】
【０００６】
（本発明の簡単な概要）
本発明の種々の実施形態において、トランザクションのための金融口座データを、無線で送信および受信するように構成される、入力センサと、メモリユニットと、処理ユニットと、アンテナとを含む、移動通信デバイスを記載する。アンテナは、メモリユニット上に格納されるデータの要求を受信するように構成され、かつデバイスの特定のコンポーネントに電力供給するために、磁界から電圧を誘起するように構成され得る。入力センサは、コンポーネントが、磁界からそのようにして電力供給され得るかどうか制御し得る。あるいは、別様に、入力センサからの入力が、デバイスの機能性を制御し得る。一実施例として、入力センサにより受信される入力を表すデータは、要求されたデータに加えて送信され得る。
【０００７】
一組の実施形態において、移動通信デバイスは、トランザクションで用いる金融口座情報を格納するように構成されるメモリユニットと、入力を受信するように構成される入力センサとを含む。デバイスはまた、トランザクションに適用するための金融口座情報の要求を含む信号を備える第１の組の電磁波を無線で受信し、金融口座情報を含む第２の組の電磁波を備える無線信号を要求に応答して送信するように構成される、アンテナを含む。デバイスはまた、要求されたデータを検索するために、メモリユニットにアクセスし、無線信号を介した送信のために、金融口座情報に追加の組のデータを追加するように構成される処理ユニットを含み、追加の組のデータは、入力センサからの受信された入力を表す。
【０００８】
一実施形態において、メモリユニットは、セキュアな格納領域をさらに備え、処理ユニットは、入力センサで受信される入力に基づいて、セキュアな格納領域へのアクセスを制御するように構成される。処理ユニットはまた、実質的に同時発生の入力が入力センサで受信されない限り、セキュアな格納領域へのアクセスを回避するように構成され得る。
【０００９】
入力センサは、２つの状態に制限され得、そのような１つの状態は、単純に入力がない状態であり得る。あるいは、入力センサは、多数の入力センサで構成され得、センサ間の入力の異なる組み合わせは、異なる結果の状態をもたらす。別の実施形態において、入力センサは、生体測定の読み取りまたはパスワード入力を受信するように構成され得る。パスワード入力は、サブセットの入力センサにより受信される入力であり得る。入力センサは、デュアル接点（ｄｕａｌ  ｃｏｎｔａｃｔ  ｐｏｉｎｔ）スイッチ、静電容量スイッチ、光センサ、多位置型スライドスイッチ、またはそれらの任意の組み合わせの１つ以上を含み得る。入力センサは、移動通信デバイスのキーパッドとは別個であり得る。
【００１０】
一実施形態において、デバイスのアンテナは、デバイスに対する電圧を誘起するために、外部電源から電力を引き出すように、さらに構成され、処理ユニットは、入力センサで受信される入力をともなわずに、外部電源から電力供給されることから回避される。メモリユニットと、入力センサと、アンテナと、処理ユニットとは、移動通信デバイスの他の移動通信コンポーネントから独立し得る。
【００１１】
金融口座情報は、クレジットカード口座番号、デビットカード口座番号、ＡＴＭカード口座番号、ストアドバリュー（ｓｔｏｒｅｄ  ｖａｌｕｅ）口座番号、または銀行預金口座番号であり得る。処理ユニットは、無線信号を介した送信のために、単一のデータパケット内に、追加の組のデータと金融口座情報とを一緒にカプセル化するように、さらに構成され得る。
【００１２】
別の組の実施形態において、移動通信デバイスは、トランザクションに適用するための金融口座情報の要求を含む信号から構成される、第１の組の電磁波を無線で受信するための手段を含む。本デバイスはまた、入力を受信するための手段と、データを格納するための手段とを含む。さらに、デバイスは、格納手段からの要求された金融口座情報と、受信された入力を表すデータとを含む信号から構成される、第２の組の電磁波を無線で送信するための手段を含む。
【００１３】
一実施形態において、デバイスは、入力手段で受信される入力に基づいて、セキュアな格納領域へのアクセスを制御するように構成される、処理手段をさらに含む。別の実施形態において、デバイスは、移動通信デバイスに対する電圧を誘起するために、外部電源から電力を無線で引き出すための手段をさらに含み、無線で送信するための手段は、入力手段で受信される実質的に同時発生の入力をともなわずに、外部電源から電力供給されることから回避される。
【００１４】
さらに別の組の実施形態において、移動通信デバイスは同様に、トランザクションで用いる金融口座情報を格納するように構成される、メモリユニットを含む。デバイスはまた、メモリユニットに接続されるアンテナを含み、トランザクションに適用するための金融口座情報の要求を含む信号から構成される、第１の組の電磁波を無線で受信するように構成される。アンテナは、要求に応答して無線信号を送信するように、さらに構成され、無線信号は、金融口座情報を含む第２の組の電磁波から構成される。入力センサは、メモリユニットに接続され、入力を受信するように構成され、要求された情報は、第１の入力が要求の受信と実質的に同時発生でない限り、送信されることから回避される。
【００１５】
一実施形態において、処理ユニットは、メモリユニットに接続され、受信された第１の入力にかかわらず、メモリユニットの非セキュアな格納領域へのアクセスを可能にするように構成される。メモリユニットはまた、追加のセキュアな格納領域を有し得、処理ユニットは、入力センサで受信される第２の入力に基づいて、追加のセキュアな格納領域へのアクセスを制御するように構成され得る。別の実施形態において、処理ユニットは、入力センサに接続され、入力センサからの第１の入力を受信し、受信された第１の入力に少なくとも部分的に基づいて、メモリユニット上に格納される要求されたデータが、送信されるかどうか制御するように構成される。さらに別の実施形態において、アンテナは、提示機器に電力供給するために、磁界から電圧を誘起するように構成される、誘導的に結合したトランスポンダであり、受信された第１の入力は、処理ユニットが磁界から電力供給され得るかどうか決定する。
【００１６】
入力センサは、２つの状態に制限され得る。１つの状態は、単純に入力がない状態であり得る。あるいは、入力センサは、多数の入力センサから構成され得、センサ間の入力の異なる組み合わせは、異なる結果の状態をもたらす。入力センサは、デュアル接点スイッチ、静電容量スイッチ、光センサ、多位置型スライドスイッチ、またはそれらの任意の組み合わせの１つ以上を含み得る。入力センサは、移動通信デバイスのキーパッドとは別個であり得る。
【００１７】
さらに別の実施形態において、移動通信デバイスは、電圧を生成するために、移動通信デバイスの外部の電源から、電力を無線で引き出すための手段を含む。デバイスはまた、トランザクションに適用するための金融口座情報の要求を含む信号から構成される、第１の組の電磁波を無線で受信するための手段と、受信された要求を処理するための手段とを含む。デバイスは、応答信号を備える第２の組の電磁波を無線で送信するための手段と、入力を受信するための手段とをさらに含む。入力は、上記引き出す手段が、処理手段のための電圧を生成するために、外部電源から電力を無線で引き出すことが可能かどうか制御し得る。
【００１８】
本発明の本質および利点のさらなる理解は、添付の図面を参照することにより、実現され得る。添付の図面において、同様のコンポーネントまたは機能は、同一の参照ラベルを有する場合がある。さらに、同一タイプの種々のコンポーネントは、参照ラベルの後にダッシュ記号と、同様のコンポーネントを区別する第２のラベルとを続けることにより、区別される場合がある。第１の参照ラベルのみが、本明細書で使用される場合、説明は、第２の参照ラベルにかかわらず、同一の第１の参照ラベルを有する、同様のコンポーネントのうちのいずれかに適用できる。
【発明を実施するための最良の形態】
【００１９】
（本発明の詳細な説明）
本説明は、例示的な実施形態のみを提供し、本発明の範囲、適用性、または構成を制限することを目的としない。むしろ、次の説明は、本発明の実施形態の実装を可能にするための説明を、当業者に提供する。添付の特許請求の範囲に記載されるような、本発明の精神および範囲から逸脱することなく、要素の機能および配置の種々の変更が行われ得る。
【００２０】
したがって、種々の実施形態は、必要に応じて種々の手順またはコンポーネントを省略、置換、または追加し得る。例えば、代替の実施形態において、方法は、記載される順序と異なる順序で実行される場合があり、種々のステップは、追加、省略、または組み合わされる場合があることは、十分理解されるべきである。また、特定の実施形態に関して記載される機能は、種々の他の実施形態と組み合わされ得る。実施形態の異なる局面および要素は、同様の方法で組み合わされ得る。
【００２１】
以下のデバイスおよびシステムは、より大きいシステムのコンポーネントである場合があり、他の手順が、それらの適用に優先するか、あるいはそれらの適用を修正する場合があることも、十分に理解されるべきである。また、多くのステップは、以下の実施形態の前、後、または以下の実施形態と同時に必要とされる場合がある。
【００２２】
種々の実施形態において、トランザクションのための金融口座データを、無線で送信および受信するように構成される、入力センサと、メモリユニットと、処理ユニットと、アンテナとを含む、移動通信デバイスを記載する。アンテナは、メモリユニット上に格納されるデータの要求を受信するように構成され、かつデバイスの特定のコンポーネントに電力供給するために、磁界から電圧を誘起するようにも構成され得る。入力センサは、コンポーネントが、磁界からそのようにして電力供給され得るかどうか制御し得る。あるいは、別様に、入力センサからの入力は、デバイスの機能性を制御し得る。一実施例として、入力センサから受信される入力は、要求されたデータに加えて送信され得る。
【００２３】
図１Ａは、入力センサ１２０−ａを有する、移動通信デバイス１００を示す、本発明の例示的な実施形態である。本明細書中で使用されるときに、用語「移動通信デバイス」は、セル式電話、携帯情報端末、ポケットベル、テキストメッセージ伝達デバイス、ラップトップ型パソコン、携帯音楽プレーヤー、送信受信兼用無線機、または音声もしくはデータ情報を無線で通信する他のデバイスなど、任意のデバイスを含むように意図される。
【００２４】
一実施形態において、移動通信デバイス１００は、情報の一時的またはより永続的な格納のためのメモリユニット１０５−ａを含む。メモリユニット１０５−ａは、読出し専用メモリ（ＲＯＭ）、ランダムアクセスメモリ（ＲＡＭ）、磁気（ｍａｇｎｅｔｉｃ）ＲＡＭ、コアメモリ、磁気ディスク記憶媒体、光記憶媒体、フラッシュメモリデバイス、または情報を格納するための他のマシン可読媒体を含む、任意のコンピュータ可読媒体であり得る。したがって、メモリユニット１０５−ａは、読出し専用である場合があるか、あるいは、リード／ライト性能がある場合がある。メモリユニット１０５−ａは、情報を格納するように適合される、磁気ストライプであり得る。それはまた、任意の可読ＲＦ識別、コンピュータチップ、または他の磁気、無線周波数または電子記憶媒体である可能性がある。
【００２５】
メモリユニット１０５−ａ内に格納され得る情報は、様々である。例えば、クレジットカード口座番号、デビットカード口座番号、ＡＴＭカード口座番号、ストアドバリュー口座番号、または銀行預金口座番号に関連したカード番号があり得る。これらは、従来のデビットカードとクレジットカード（例えば、ＶＩＳＡ（登録商標）、Ｍａｓｔｅｒｃａｒｄ（登録商標）、Ａｍｅｒｉｃａｎ  Ｅｘｐｒｅｓｓ（登録商標）などに関連したカードを含む、ＡＴＭカード、銀行カード）とを含み得る。場合によっては、移動通信デバイス１００は、識別番号を有し、ホストコンピュータシステムにおいて、１つ以上の別個の口座番号を介して追跡され得る。このシナリオは、多数のカードが同一の口座に関連し、多数の口座が単一の移動通信デバイス１００に関連することを可能にする。しかしながら、カード番号と口座番号とが、同一の番号である可能性があることは、十分に理解されるであろう。あるいは、一例として、カード番号と口座番号とが、異なる場合があり、従来のクレジット／デビットカードと同一のフォーマットを有するために、１６文字を含み得る。個人情報（例えば、住所、社会保障番号、電話番号）、トランザクションまたはクレジット歴、記録された入力センサの使用、パスワード、認証および暗号化ソフトウェア、アクセス識別情報、または任意の追加情報など、メモリユニット１０５−ａ上に格納される、追加の情報がある場合がある。カード上に格納されるデータは、暗号化され得る。
【００２６】
金融口座番号は、トランザクションに資金を提供する目的で使用され得る。トランザクションの例は、クレジットトランザクション、デビットトランザクション、ＡＣＨトランザクション、ストアドバリュートランザクションなどを含む。クレジットトランザクションは、金融機関が、クレジット契約に従い、第一当事者に代わって資金を提供するトランザクションを含む。多くの個人は、異なる金融機関と、あるいは同一の機関とでさえ、多数のクレジット協定を有する場合があり、これらの口座の２つ以上は、移動通信デバイス１００に関連する場合がある。デビットトランザクションは、トランザクションに対応して、資金が、第一当事者の金融口座から自動振替されるトランザクションを含む。多くの個人はまた、同一または異なる金融機関と、多数のデビット協定を有する場合があり、１つ以上のこれらの協定は、移動通信デバイス１００に関連する場合がある。ＡＣＨトランザクションは、種々の電子小切手または他の電子的商業決済を含む、Ａｕｔｏｍａｔｅｄ  Ｃｌｅａｒｉｎｇ  Ｈｏｕｓｅを利用するトランザクションを含む。ストアドバリュートランザクションは、プリペイド金額が提示機器に関連し、トランザクションの実行が、トランザクションの金額に従い、プリペイド金額の減少をもたらすトランザクションを含む。
【００２７】
しかしながら、メモリユニット１０５−ａ上に格納される情報の使用は、金融トランザクションでの使用に制限されない。例えば、移動通信デバイス１００は、建物、施設、または他の場所へのセキュアな入場への、アクセス「カード」として使用され得る。このように、以下の実施例は、金融トランザクション中の使用を参照する場合が多いが、移動通信デバイスの構成は、セキュアな建物、施設、または他の場所へのアクセスのために、または他の目的のために同様に使用され得る。例えば、金融トランザクションに関する決定が、特定の入力／状態に基づいて行われ得るように、当業者には明らかなように、そのようなアクセスに関する決定も行われ得る。
【００２８】
移動通信デバイス１００はまた、メモリユニット１０５−ａと入力センサ１２０−ａとに通信可能に接続された、処理ユニット１１０−ａを含む。処理ユニット１１０−ａは、Ａｐｐｌｉｃａｔｉｏｎ  Ｓｐｅｃｉｆｉｃ  Ｉｎｔｅｇｒａｔｅｄ  Ｃｉｒｃｕｉｔ（ＡＳＩＣ）、または適用できる機能を実行するように適合される、汎用プロセッサであり得る。あるいは、移動通信デバイス１００の機能は、１つ以上の集積回路上で、１つ以上の他の処理ユニット（またはコア）により実行され得る。他の実施形態において、他のタイプの集積回路が使用され得（例えば、Ｓｔｒｕｃｔｕｒｅｄ／Ｐｌａｔｆｏｒｍ  ＡＳＩＣ、Ｆｉｅｌｄ  Ｐｒｏｇｒａｍｍａｂｌｅ  Ｇａｔｅ  Ａｒｒａｙ（ＦＰＧＡ）、および他のＳｅｍｉ−Ｃｕｓｔｏｍ  ＩＣ）、当該分野で公知の任意の方法で、プログラム化され得る。処理ユニットは、メモリユニット１０５−ａにアクセスするようにプログラム化され得る。それは、メモリユニット１０５−ａから命令および他のデータをフェッチするか、またはメモリユニット１０５−ａにデータを書き込み得る。処理ユニットは、当該分野で公知の任意の方法で、チップモジュール内に封止され得る。処理ユニット１１０−ａは、暗号機能、エラー検出または訂正、データ転送、時計機能、メモリ管理などを実行するために、１つ以上のプロセッサを含み得る。
【００２９】
処理ユニット１１０−ａは、無線インターフェースに通信可能に接続される。例示的な本実施形態において、ＲＦインターフェース１１５−ａは、無線信号を備える電磁波を送信および受信するように構成される。データは、端末機（例えば、販売時点管理デバイス、スマートカードリーダなど）から移動通信デバイス１００に、かつメモリユニット１０５−ａから端末機に転送され得る。任意の公知の変調技術が使用され得る（例えば、ＡＭ、ＡＳＫ、ＰＳＫ、ＱＰＳＫなど）。インターフェースは、異なる実施形態において、無線またはマイクロ波リンク、光リンク、誘導結合、または当該分野で公知の他の無線手段であり得る。ＲＦインターフェース１１５−ａは、エネルギ伝達のためのインターフェースでもあり得る（例えば、磁界が、誘導結合を介してカードに電力供給し得る）。後に考察するように、無線電源（ｗｉｒｅｌｅｓｓ  ｐｏｗｅｒ  ｓｏｕｒｃｅ）は、処理ユニット１１０−ａとメモリユニット１０５−ａとに対する、唯一の電源であり得る。別の実施形態において、追加の電源（例えば、移動通信コンポーネントから独立した、場合により無線インターフェースを介して再充電可能なバッテリ）もあり得る。さらに他の実施形態において、電源は、デバイス１００の移動通信コンポーネント１２５−ａのためのバッテリであり得る。
【００３０】
上で簡単に参照したように、移動通信デバイス１００は、追加の移動通信コンポーネント１２５−ａをも含む。これらのコンポーネント１２５−ａは、キーパッド、液晶ディスプレイ（「ＬＣＤ」）または他のディスプレイ、バッテリ、無線周波数（「ＲＦ」）送信受信コンポーネント、処理ユニット（例えば、デジタルシグナルプロセッサ（「ＤＳＰ」））、メモリ、および追加の通信コンポーネントを含み得る。本明細書中で使用されるように、これらの移動通信コンポーネントは、時分割多元接続（「ＴＤＭＡ」）システム、符号分割多元接続（「ＣＤＭＡ」）システム、およびＧｌｏｂａｌ  Ｓｙｓｔｅｍ  ｆｏｒ  Ｍｏｂｉｌｅ  ｃｏｍｍｕｎｉｃａｔｉｏｎｓ（「ＧＳＭ」）システムを介して、携帯電話（ｃｅｌｌｕｌａｒ）の接続性を提供するために、基地局と通信する働きをし得る。他の例示的な携帯電話システムは、「３Ｇ」システム、Ｅｎｈａｎｃｅｄ  Ｄａｔａ  Ｒａｔｅｓ  ｆｏｒ  ＧＳＭ  Ｅｖｏｌｕｔｉｏｎ（「ＥＤＧＥ」）システムとして当該分野で公知のシステムを含む。これらのコンポーネントは、ＷｉＦｉホットスポット（例えば、ＩＥＥＥ８０２．１１（ａ）、ＩＥＥＥ８０２．１ｌ（ｂ）、ＩＥＥＥ８０２．１ｌ（ｇ）、およびＩＥＥＥ８０２．１ｌ（ｎ）を含むがこれらに限定されない、ＩＥＥＥ８０２．１１標準）を介して、データを送信および受信する働きもし得る。
【００３１】
図１Ａに図示される実施形態において、移動通信コンポーネント１２５−ａは、処理ユニット１１０−ａ、メモリユニット１０５−ａ、入力センサ１２０−ａ、およびＲＦインターフェース１１５−ａから独立している。各組のコンポーネントは、デバイスに統合されているが、例えば、各組のコンポーネントは、物理的に別個であり得る。留意すべきは、以下に考察される他の実施形態において、個々のコンポーネントが、多くの機能を果たすために統合されている場合があることである。各組のコンポーネントは、どの程度それらが統合されているかにかかわらず、機能的に独立し得る。
【００３２】
上述の通り、処理ユニット１１０−ａは、入力センサ１２０−ａと通信可能に接続される。入力センサ１２０−ａは、任意の検出または入力ユニットであり得、その選択は、以下に考察される。しかしながら、以下の説明は、例示のみを目的としており、用いられ得る、異なる可能な入力センサを制限することを一切目的としないことは、留意されたい。
【００３３】
一実施形態において、入力センサ１２０−ａは、処理ユニット１１０−ａが、磁界から電力供給され得るかどうか制御する。例示的な本実施形態において、処理ユニット１１０−ａが、誘導結合を介して無線で電力供給されると仮定する。一実施形態における入力センサ１２０−ａは、Ｉ／Ｏインターフェースを介して処理ユニット１１０−ａに連結した、デュアル接点インターフェースである。動作は２つの状態を有し、第１の状態は、処理ユニット１１０−ａとメモリユニット１０５−ａとが、誘導結合を介して電力供給されることを可能にし、第２の状態は、コンポーネントがそのようにして電力供給されることを回避する。種々の方法でスイッチを実装することが可能である。例えば、接点パッド間の抵抗を監視し、無限大の抵抗未満を、オン（すなわち、閉（ＣＬＯＳＥＤ））位置と解釈することにより、それを実装することが可能である。実際のインターフェースは、接点をブリッジする方法として、接点全体にユーザの指を置き、スイッチをオン位置に作動することを可能にするように、構成されることが可能である。スイッチは、接点が閉じていないとき、オフ（すなわち、開（ＯＰＥＮ））位置のままであり、それにより、処理ユニット１１０−ａが電力供給されることを回避する。したがって、それにより、情報の要求の無線受信と、入力が実質的に同時発生でない限り、デバイスは、データが送信されることを回避するように構成され得る。
【００３４】
図１Ｂは、特定のコンポーネントが多くの機能を果たす、移動通信デバイス１５０の実施例を図示するブロック図である。本実施形態において、デバイス１５０は、図１Ａのデバイス１００を参照して記載されるように構成され得る、ＲＦインターフェース１１５−ａと入力センサ１２０−ａとを含む。これらのコンポーネントから独立して、図１Ｂのデバイス１５０は、移動通信コンポーネント１２５−ｂをも含む。これらのコンポーネント１２５−ｂは、ＲＦインターフェース１１５−ａと入力センサ１２０−ａとから物理的に別個であり、機能的に独立した、アンテナ１３０、無線周波数（「ＲＦ」）送信受信コンポーネント１３５、電源１４０（例えば、バッテリ）、およびキーパッド１４５を含み得る。
【００３５】
本実施例のデバイス１５０はまた、処理ユニット１１０−ｂとメモリユニット１０５−ｂとを含む。本デバイス１５０では、処理ユニット１１０−ｂは、少なくとも２つの機能を果たす。処理ユニット１１０−ｂ−１の少なくとも一部分は、図１Ａを参照して記載される処理ユニット１１０−ａの機能性を提供する。処理ユニット１１０−ｂ−２の少なくとも一部分は、移動通信に起因する処理機能性を提供する（例えば、時分割多元接続（「ＴＤＭＡ」）システム、符号分割多元接続（「ＣＤＭＡ」）システム、およびＧｌｏｂａｌ  Ｓｙｓｔｅｍ  ｆｏｒ  Ｍｏｂｉｌｅ  ｃｏｍｍｕｎｉｃａｔｉｏｎｓ（「ＧＳＭ」）システムなどを介して、携帯電話の接続性を提供する）。
【００３６】
同様に、本デバイス１５０のメモリユニット１０５−ｂは、少なくとも２つの機能を果たす。メモリユニット１０５−ｂ−１の少なくとも一部分は、図１Ａを参照して記載されるメモリユニット１０５−ａの機能性を提供する。メモリユニット１０５−ｂ−２の少なくとも一部分は、移動通信に起因する格納の機能性を提供する。このようにして、本実施形態は、コンポーネントが別個であり得る一方で、上述の移動通信および提示機器の機能性は、機能性を提供する同一の組のコンポーネントで、それぞれ実行され得ることを図示する。
【００３７】
図１Ｃは、追加のコンポーネントの機能性が統合される、移動通信デバイス１７５の実施例を図示するブロック図である。本実施形態において、デバイス１７５は、少なくとも２つの機能を果たすアンテナ１１５−ｂを含む。アンテナ１１５−ｂの少なくとも一部分は、図１Ａを参照して記載されるＲＦインターフェース１１５−ａの機能性を提供する。アンテナ１１５−ｂの少なくとも一部分は、図１Ｂのアンテナ１３０と同様に、移動通信に起因する機能性を提供する（例えば、時分割多元接続（「ＴＤＭＡ」）システム、符号分割多元接続（「ＣＤＭＡ」）システム、およびＧｌｏｂａｌ  Ｓｙｓｔｅｍ  ｆｏｒ  Ｍｏｂｉｌｅ  ｃｏｍｍｕｎｉｃａｔｉｏｎｓ（「ＧＳＭ」）システムなどを介して、携帯電話の接続性を提供する）。
【００３８】
本実施例のデバイス１７５はまた、処理ユニット１１０−ｃとメモリユニット１０５−ｃとを含む。本デバイス１７５では、処理ユニット１１０−ｃは、少なくとも２つの機能を果たす。処理ユニット１１０−ｃ−１の少なくとも一部分は、図１Ａを参照して記載される処理ユニット１１０−ａの機能性を提供する。処理ユニット１１０−ｃ−２の少なくとも一部分は、移動通信に起因する処理機能性を提供する。同様に、メモリユニット１０５−ｃは、少なくとも２つの機能を果たす。メモリユニット１０５−ｃ−１の少なくとも一部分は、図１Ａを参照して記載されるメモリユニット１０５−ａの機能性を提供する。メモリユニット１０５−ｃ−２の少なくとも一部分は、移動通信に起因する格納の機能性を提供する。処理ユニット１１０−ｃは、アンテナ１１５−ｂとメモリユニット１０５−ｃとの両方に通信可能に接続される。
【００３９】
デバイス１７５はまた、処理ユニット１１０−ｃとメモリユニット１０５−ｃとに電力供給するように構成される、電源１８０（例えば、バッテリ）を含む。デバイス１７５はまた、移動通信の目的のために、キーパッド機能性を提供するように構成される、キーパッド１８５を含む。入力センサ１２０−ｂは、図１Ａを参照して記載される入力センサ１２０−ａの機能性の、少なくとも一部分を提供するために、キーパッド１８５に統合される。図１Ａ〜図１Ｃは、本明細書に記載される機能が、別個のコンポーネントによりどのように実行され得るか、あるいは異なるコンポーネントの機能性が、どのように統合され得るか図示する。異なるコンポーネントが統合され得る多くの方法があるが、本開示は、そのような統合を一切制限せず、むしろ、選択された選択肢を図示するための実施例を提供する。
【００４０】
図２Ａを参照すると、移動通信デバイス２００（図１Ａのデバイス１００など）の背面図の実施例が図示される。２つの接点２０５（本実施形態では入力センサである）が、移動通信デバイス２００（例えば、電話器またはＰＤＡ）の背面に示されるが、異なるパッケージング形式およびサイズが、他の実施形態で用いられ得る。処理ユニットとメモリユニットとが、チップモジュール２１０内に含まれる。本実施形態において、処理ユニットとメモリユニット（例えば、図１Ａ〜図１Ｃの処理ユニット１１０およびメモリユニット１０５）とが、チップモジュール２１０内に含まれ、（接点２０５と同様に）移動通信コンポーネントから独立する。しかしながら、ここで留意すべきは、他の実施形態において、これらおよび他のコンポーネントが、移動通信コンポーネントに種々の程度で統合され得ることである。
【００４１】
図２Ｂでは、例えば、図２Ａの移動通信デバイス２００上に見られる、電子コンポーネントの選択を例示する、ブロック図２２０が示される。接点パッド２０５は、導体２３５を介して処理ユニット２３０にそれぞれ接続される。ＯＰＥＮ状態は、ＲＦインターフェース（例えば、図１Ａまたは１ＢのＲＦインターフェース１１５−ａ）を介した電力の無線受信を、制限または制御するように構成され得る。あるいは、別様に、ＯＰＥＮ状態は、処理ユニットまたはメモリユニット（例えば、図１Ａ〜図１Ｃの処理ユニット１１０またはメモリユニット１０５）が、電力供給されることを回避することが可能である。このように、接点２０５が、ＣＬＯＳＥＤ状態になるまで、移動通信デバイスのコンポーネントの機能性および動作を回避、あるいは制限することが可能である、種々の構成がある。さらに、いくつかの実施形態において、接点がＣＬＯＳＥＤのとき、移動通信デバイス２００の適用できるコンポーネントは、いったん接点が再び開くと、追加の期間（例えば、１、２、５、または１０秒）、機能的なままであるように構成され得る。
【００４２】
別の実施形態において、移動通信デバイス２００の接点パッド２０５は同様に、ＯＰＥＮまたはＣＬＯＳＥＤの２つの状態で動作するように構成される。しかしながら、移動通信デバイス２２０の電力または機能性を制限する代わりに、それらは、処理ユニット２３０に、それらの状態を通信するように構成される。本実施形態において、処理ユニット２３０は、要求されたデータ（例えば、口座情報）に、この状態情報を含むように構成される。例えば、移動通信デバイス２００上に格納される１６桁の口座番号が、要求されると仮定する。口座番号のみを送信する代わりに、状態情報をも転送される。この状態情報は単純に、口座番号の終わりの追加の二進出力であり得る（可能性としては、単一のデータパケットとして一緒に送信される）。あるいは、状態情報は、当該分野で公知の任意の方法で、含まれ得る。
【００４３】
しかしながら、本発明の実施形態は、上述の２つの接点パッドの実装に制限されない。図１Ａに戻ると、例えば、入力センサ１２０−ａは、スイッチング方法として、人体の静電容量を使用するように実装される、２状態静電容量スイッチ（ｔｗｏ−ｓｔａｔｅ  ｃａｐａｃｉｔａｎｃｅ  ｓｗｉｔｃｈ）（例えば、タッチスイッチ）であり得る。移動通信デバイス１００が電力供給されるとき（例えば、誘導結合を介して）、静電容量スイッチがクエリ（ｑｕｅｒｙ）され、静電容量レベルに基づいて、処理ユニットは、スイッチの作動または非作動（オン／オフ）を推測し得る。
【００４４】
別の実施形態において、入力センサは圧力スイッチであり、上述の２状態スイッチングデバイスと同じ方法で、効果的に動作する。違いは、物理的スイッチングデバイスにある。圧力スイッチは、上述の２状態デバイスと同様の他のすべての動作で、実際のスイッチングコンポーネントを保護する柔軟膜（ｆｌｅｘｉｂｌｅ  ｍｅｍｂｒａｎｅ）により被覆され得る。
【００４５】
さらに他の実施形態において、入力センサは、ユーザが、移動通信デバイスの動作状態を物理的にスイッチングすることを可能にする、さらに従来の「スライド式」スイッチであり得る。本実装は、スイッチが変化するまで、ユーザが、チップ機能を制御する設定を行うことを可能にする点で、上述の実装と異なる。スライドスイッチは、上述のように、２状態スイッチとして実装され得る。あるいは、例えば、「オフ」に対する一設定、「オン」に対する一設定、および購入の承認を示すための第３の設定を有する、スライドスイッチの３つの位置があり得る。当業者には明らかなように、他の設定も可能である。
【００４６】
上述の実施形態において、ユーザは一般に入力を提供するが、必ずしもそうである必要はない。図２Ｃを参照すると、例えば、入力センサが光センサ２４５である、移動通信デバイス２４０が図示される。これは、例えば、図１Ａまたは図１Ｂの移動通信デバイス１００または１５０であり得る。光センサは、例えば、最も基本的な光検出デバイスから画像センサアレイまで、当該分野で公知の任意の光検出デバイスであり得る。光センサはまた、移動通信デバイス２４０のチップモジュール２１０内の、処理ユニットに電力供給するための機構としての機能を果たすことが可能である（例えば、太陽／光電池式（ｓｏｌａｒ／ｌｉｇｈｔ  ｐｏｗｅｒｅｄ）ユニット）。光センサ２４５は、２状態センサとして実装され得、暗い空間（例えば、ハンドバッグ（ｐｕｒｓｅ）またはポケット）への移動通信デバイス２４０の配置は、移動通信デバイス２４０の特定のコンポーネントの機能性を非作動にする。本実施形態において、光センサ２４５は、ここでまたＩ／Ｏインターフェースを介して、チップモジュール２１０内の処理ユニットに接続される。このように、光センサ２４５は、光レベルが設定レベルを下回るとき、ＲＦインターフェースまたは処理ユニットの機能を非作動にするように構成されることが可能である。あるいは、別の実施形態において、チップモジュール２１０の処理ユニットは、光レベルに関する２状態情報を読み込むか、あるいは受信し、この情報は、例えば、口座番号が移動通信デバイスのために送信されるとき含まれる。さらに別の実施形態において、処理ユニット２１０は、多くの範囲内の光レベルに関する情報を読み込むか、あるいは受信し、読み取りまたは範囲を送信する。このように、光センサ２４５からの入力は、照明レベルのリアルタイムの表示を提供するために、Ｉ／Ｏインターフェースに量的な値を提供することにより、動作可能でもある。したがって、いくつかの実施形態において、入力センサは２状態デバイスであるが、他の実施形態において、入力センサは、３つ以上の状態を有し得る。
【００４７】
図２Ｄを参照すると、入力センサがチップモジュール２１０に接続され、一組の番号付けされた入力センサ２６５で構成される、例示的な移動通信デバイス２６０が図示される。本実施形態において、８つの個々のセンサがあるが、他の実施形態において、他の数および構成が使用され得る。これらの入力は、デバイスのキーパッドとは別個であり得るか、あるいは部分的もしくは完全にそこに統合され得る。各入力センサは、デバイスのユーザにより個々に作動され得、そのような種々の入力センサは、当該分野で周知のため、さらなる技術的な詳述の必要はない。入力センサ２６５は、移動通信デバイス２６０への追加の制御を提供するために、種々の方法で使用され得る。例えば、パスワード入力を可能にするために、一連の数字が、連続して選択され得る。あるいは、パスワード入力を構成するために、２つ以上の数字が同時に入力され得る。本実施形態において、パスワード入力の認証情報は、他の移動通信コンポーネントのメモリユニットとは別個であるか、または別個ではない場合がある、移動通信デバイス２６０のメモリユニット上に格納される。正しいパスワードが入力されると、移動通信デバイスの関連するコンポーネント（例えば、メモリユニット、処理ユニットなど）が、作動状態になり得る。このように、パスワード入力は、チップモジュール２１０に対して２状態のオン／オフ制御を提供し、デバイスが、口座情報などのデータを送信することを回避または許可し得る。
【００４８】
別の実施形態において、入力センサは、第一に、接点パッドと非常によく似た機能を果たす。したがって、２つ以上のセンサ上に指を置くことにより、移動通信デバイス２６０は、特定のコンポーネント（例えば、メモリユニット、処理ユニットなど）が、磁界を介して無線で電力供給されるか、あるいはコンポーネント内の機能を（例えば、変更可能な期間または所定の期間（１、２、１０秒など））許可するように修正される。いったん適用できるコンポーネントが作動すると、番号付けされた入力センサは、トランザクションを認証するため、またはメモリユニットのセキュアな領域にアクセスするために、パスワードまたは他の有効な入力を提供するように、使用され得る。
【００４９】
最後に、図２Ｅは、生体測定ユニット２８５である入力センサを含む、移動通信デバイス２８０の外観を図示する。本実施形態において、測定ユニット２８５上に置かれる指の輪郭を実質的に測定するように構成される、センサの配列がある。他の実施形態において、他のタイプの生体測定入力が使用され得る。配列の各入力センサは、例えば圧力または光により作動され得る。そのような種々の入力センサは当該分野で周知であり、さらなる詳述の必要はない。測定ユニット２８５は、移動通信デバイス２８０への追加の制御を提供するために、種々の方法で使用され得る。例えば、ユニット２８５上に置かれる指の輪郭の測定を行うと仮定する。本実施形態において、認証情報は、移動通信デバイス２８０のメモリユニット上に格納される。一致した場合、移動通信デバイス（またはそのコンポーネントもしくは機能性）は、作動状態となり得る。このように、適切な生体測定入力は、移動通信デバイス２８０に対して２状態のオン／オフ制御を提供し、デバイスが、口座情報などのデータを送信することを回避または許可し得る。
【００５０】
あるいは、測定ユニットは、第一に、接点パッドと非常によく似た機能を果たす。したがって、測定ユニット２８５上に指を置くことにより、移動通信デバイス２８０の構成は、デバイスが、磁界を介して無線で電力供給されるか、あるいはしばらくの間（例えば、５または１０秒）作動することを許可するように修正される。いったん移動通信デバイス２８０のコンポーネントまたは機能性が作動すると、生体測定入力（例えば、指の輪郭）は、トランザクションを認証するため、またはメモリユニットのセキュアな領域へのアクセスを許可するために、パスワードまたは他の有効な入力を提供するように、使用され得る。入力センサの種々の選択肢の上述の考察は、例示的であり、種々の選択肢を制限すると解釈されるべきではない。
【００５１】
図３は、多くの入力センサ１２０−ｃを有する移動通信デバイス３００で構成される、本発明の例示的な代替の実施形態である。移動通信デバイス３００は、図１Ａのデバイス１００であり得る。さらに、デバイス３００は、メモリユニット１０５−ｃに接続される処理ユニット１１０−ｄを含む。例示的な本実施形態において、メモリユニット１０５−ｃは、非セキュアな領域３０５を含む。この非セキュアな領域は、（処理ユニット１１０−ｄとメモリユニット１０５−ｃとが作動する限り）要求に応じて送信するために、アクセス可能な情報を格納するように構成される。したがって、この情報は、暗号化されていない場合がある。メモリユニット１０５−ｃはまた、セキュアな領域３１０を含む。本実施形態において、セキュアな領域３１０に対して、この領域へのアクセスを可能にするために、カードのユーザからなんらかの追加の入力が必要とされる（例えば、パスワードまたは生体測定）。メモリユニット１０５−ｂ上に格納されるデータの残りは、アクセス可能であるが、データへのアクセスが認可されると決定された源（ｓｏｕｒｃｅ）から要求された場合に限る（例えば、要求されたトランザクションを認証する販売時点管理デバイス）。データは、暗号化あるいは保護され得るが、いったんカードが作動すると、データが、認可された源に対してアクセス可能となる（すなわち、追加のユーザ入力は要求されない）。端末機からの要求が、信頼できる、あるいは認証された源からであるかどうか決定するためには、当該分野で公知の種々の方法がある。
【００５２】
移動通信デバイス３００は、無線信号を送信および受信するように構成され、源から電力を無線で引き出すようにさらに構成される、アンテナ１１５−ｃを含む。一実施形態において、アンテナは、誘導結合を介して、磁界から電力を引き出すコイルを備え得る。他の実施形態において、アンテナは、当該分野で公知の他の方法を使用して、電力を引き出すように構成され得る。本実施形態において、移動通信デバイス３００は、別個の電源３１５（例えば、小バッテリ）を含む。電源３１５は、デバイスのすべての、または限られた数のみの機能に電力供給するように構成され得る。電源３１５は、アンテナから引き出される電力で充電される（あるいは、可能性としては太陽／光電池式である）、再充電可能バッテリを備え得る。このように、入力センサ１２０−ｃが、移動通信デバイス３００（またはそのコンポーネント）が、無線で電力供給され得るかどうか制御し得る一方で、入力センサ１２０−ｃは、単純に、電池式の移動通信デバイス（またはそのコンポーネント）が機能することを回避するように構成され得る。
【００５３】
移動通信デバイス３００はまた、追加の移動通信コンポーネント１２５−ａを含む。これらのコンポーネント１２５−ａは、キーパッド、液晶ディスプレイ（「ＬＣＤ」）または他のディスプレイ、バッテリ、無線周波数（「ＲＦ」）送信受信コンポーネント、処理ユニット（例えば、デジタルシグナルプロセッサ（「ＤＳＰ」））、メモリ、および追加の通信コンポーネントを含み得る。移動通信コンポーネント１２５−ａは、処理ユニット１１０−ｄ、メモリユニット１０５−ｃ、入力センサ１２０−ｃ、およびアンテナ１１５−ｃから独立している。各組のコンポーネントは、デバイスに統合されているが、例えば、各組の物理的コンポーネントは別個であり得る。ここで留意すべきは、他の実施形態において、個々のコンポーネントが、多くの機能を果たすように統合され得るということである（例えば、移動通信コンポーネント１２５−ａ用のバッテリは、電源３１５の代わりに、特定のコンポーネントに電力供給する働きをし得る）。
【００５４】
入力センサ１２０−ｃを参照すると、本実施形態において、生体測定センサ３２０と追加の入力センサ３２５とがある。このように、本実施形態は、センサの異なる構成が、移動通信デバイス３００の機能性への制御を提供するために、どのように併用され得るか例示する。一実施例として、入力センサ３２５は、処理ユニット１１０−ｄとメモリユニット１０５−ｃとが、動作しているかどうか制御する（例えば、オン／オフ機能性）ように構成され得、生体測定センサ３２０は、セキュアな領域３１０内のデータへのアクセスを制御するように構成され得る。
【００５５】
図４Ａ〜図４Ｃは、入力センサの種々の状態に対する、選択された選択肢を描写する。本考察は、種々の状態の選択肢を制限するよう意図されておらず、むしろ、本発明の異なる実施形態における、種々の入力センサ状態を例示するよう意図される。例えば、これらの状態は、図１Ａ、図１Ｂ、または図１Ｃの移動通信デバイス（１００、１５０、１７５）の選択されたコンポーネントに適用され得る。最初に、図４Ａの状態図４００を考察する。本実施例では、入力センサがスイッチとして効果的に機能する、２状態の入力センサを仮定する。ブロック４０５でスイッチがオフの場合、入力センサは、第１の状態、状態０である。ブロック４１０でスイッチがオンするとき（例えば、接触、圧力、光、静電容量を介して）、入力センサは、第２の状態、状態１になる。本実施例では、ブロック４１５でスイッチがオフする（例えば、接触、圧力、光、静電容量が設定レベルを下回る）とすぐに、入力センサは、第１の状態、状態０に戻る。このタイプのスイッチは、移動通信デバイスのコンポーネントの１つ以上の、オン／オフ機能性を制御するために（かつ状態情報データを付加するために）使用され得る。このように、スイッチは、状態０で処理ユニットまたはメモリユニットの動作を回避し、状態１で動作を可能にするように構成され得る。あるいは、状態（０または１）は、要求された口座情報とともに送信され得る。
【００５６】
次に、図４Ｂの状態図４３０を考察する。本実施例では、同様に、入力センサがスイッチとして効果的に機能する、２状態の入力センサを仮定する。ブロック４３５でスイッチがオフのとき、入力センサは、第１の状態、状態０である。ブロック４４０でスイッチがオンするとき（例えば、接触、圧力、光、静電容量を介して）、入力センサは、第２の状態、状態１になる。本実施例では、ブロック４４５でスイッチがオフする（例えば、接触、圧力、光、静電容量が設定レベルを下回る）とき、入力センサは、設定の期間（例えば、５、１０、または６０秒）後に、第１の状態、状態０に戻る。このタイプのスイッチは、移動通信デバイスのコンポーネントの１つ以上の、オン／オフ機能性を制御するために使用され得る。例えば、スイッチは、状態０で提示機器の動作を回避し、状態１で動作を可能にするように構成され得る。また、状態（０または１）は、要求された口座情報とともに送信され得る。
【００５７】
さらに、スイッチは、複数目的の２状態スイッチであり得る。例えば、ブロック４３５でスイッチがオフになると、移動通信デバイスの適用できるコンポーネントは作動しないと仮定する。ブロック４４０でスイッチがオンするとき（例えば、接触、圧力、光、静電容量を介して）、入力センサは、第２の状態、状態１になる。本実施例では、ブロック４４５でスイッチがオフする（例えば、接触、圧力、光、静電容量が設定レベルを下回る）とき、適用できるコンポーネントは、しばらくの間作動状態のままである。その作動期間中に、スイッチが再びオンすると（例えば、接触、圧力、光、静電容量を介して）、スイッチは、要求された口座情報の送信のために、状態情報を提供する働きをする。したがって、それにより、単一の２状態スイッチは、１）スヌーピングへの保護を提供し、２）移動通信デバイスが購入者により保有されることを確認するように構成され得る。
【００５８】
最後に、図４Ｃの状態図４６０を考察する。本実施例では、入力の異なる組み合わせが異なる状態をもたらす、複数状態（ｍｕｌｔｉ−ｓｔａｔｅ）の入力センサを仮定する。例えば、センサの種々の番号付けされた、または他の構成があり得る。同時または連続的のいずれかで受信される、入力の異なる組み合わせは、異なる入力センサ状態をもたらす。時に、入力の範囲はすべて、特定のセンサ状態をもたらす場合がある。したがって、考察のために、「範囲」という用語が使用されるが、範囲が、入力の所与の組み合わせを単純に含み得ることに、留意されたい。図４Ｃに図示される例示的な実施形態を参照すると、ブロック４６５の範囲Ａ内の任意のセンサ入力が、状態Ａをもたらす。同様に、ブロック４７０と４７５とにおいて、入力の各別個の範囲、範囲Ｂ〜範囲ｎは、異なる状態をもたらす。このタイプのスイッチは、移動通信デバイスの適用できるコンポーネントの機能性を制御するために、使用され得る。例えば、入力センサは、状態Ａ（例えば、入力なし）で処理ユニットの特定の機能性を回避し、他のすべての状態で作動を可能にするように構成され得る。あるいは、特定のパスワード、生体測定、または入力の他の組み合わせ（すなわち、センサ範囲）が、メモリユニット内に格納されるデータと一致する場合に限り、処理ユニットまたはその中で実行される特定の機能を、利用可能な状態にすることにより、追加の保護が提供され得る。さらに、異なるレベルのセキュリティがあり得る（すなわち、入力の特定の範囲のみが、メモリユニットのセキュアな領域へのアクセスを可能にする一方で、任意の入力が、処理ユニットとメモリユニットとを作動状態にする）。
【００５９】
図５は、本発明の種々の実施形態が動作し得る、例示的なシステム５００を図示する。そのようなシステムのコンポーネントは、直接接続され得るか、または異なる実施形態において、インターネット、ＩＰネットワーク、イントラネット、広域ネットワーク（「ＷＡＮ」）、ローカルエリアネットワーク（「ＬＡＮ」）、仮想閉域網、公衆交換電話網（「ＰＳＴＮ」）、または本明細書に記載されるデバイス間のデータ通信をサポートする、他の任意のタイプのネットワークの任意の組み合わせであり得る、ネットワーク５１５を介して接続され得る。ネットワーク５１５は、光リンクを含む、有線および無線の両方の接続を含み得る。本開示の観点から、他の多くの実施例が可能であり、当業者には明らかである。本明細書の考察において、ネットワーク５１５は、具体的に記載されるか、またはされ得ない。接続の具体的手段が記載されていない場合、デバイス間のリンク、通信、または他の接続は、ネットワーク５１５を介し得ると仮定される。
【００６０】
本発明の種々の実施形態によると、システム５００は、ホストコンピュータシステム５２０を含む。ホストコンピュータシステム５２０は、例えば、１つ以上のサーバコンピュータ、パーソナルコンピュータ、ワークステーション、ウェブサーバ、または他の適切なコンピューティングデバイスを含み得る。ホストコンピュータシステム５２０は、単一の施設内に完全に位置するか、または地理的に分散され得、その場合、上述のようなネットワーク５１５は、異なるコンポーネントを統合するように使用され得る。
【００６１】
ホストコンピュータシステム５２０は、１つ以上のデータベース、またはＰＩ規則データストア５２５、金融機関データストア５３０、および金融情報データストア５３５などの他のデータストアと通信し得る。本発明の異なる実施形態によると、各データストアは、かなり多くのテーブルおよびテーブルの組を含み得る。さらに、これらのデータストアは、単一のデータベースであり得る。ホストコンピュータシステム５２０上で動作するアプリケーションソフトウェアは、適用できるデータストアをクエリし、アプリケーションソフトウェアにより命令されるように、決定を生成し得る。それぞれのアプリケーションソフトウェアは、ホストコンピュータシステム５２０内（例えば、その記憶媒体内）に全体的または部分的に組み込まれ得るか、またはホストコンピュータシステム５２０に関連した、別個のシステムの一部分となり得る。それぞれは、単一の施設内に完全に位置するか、または地理的に分散され得る。当業者には公知の通り、種々の実施形態により要求される機能性を提供するために、各データストアは、上述とは異なる任意の方法で編成され得る。
【００６２】
ホストコンピュータシステム５２０は、本発明の種々の実施形態に従い構成される、移動通信デバイス５４０と直接的に通信する端末機５０５と、直接的または間接的に通信している。デバイス５４０は、例えば、図１Ａ、図１Ｂ、または図１Ｃの移動通信デバイス（１００、１５０、１７５）であり得る。端末機５０５は、販売業者５１０により動作され得るか、または販売業者から独立し得る。端末機５０５は、販売時点管理デバイス、スキャナ、スマートカードリーダ、またはデバイス５４０とのデータ接続性を提供する、任意の他のインターフェースであり得る。多くの場合、端末機５０５は、トランザクションを完了するために、口座情報の送信を開始するために、デバイス５４０の適用できるコンポーネントに無線で電力供給するための、磁界または他の供給源をも提供する。
【００６３】
一実施例として、端末機５０５は、トランザクションを認証および完了するために、移動通信デバイス５４０からトランザクションデータ（例えば、口座情報）を要求する。デバイス５４０は、位置、販売業者、時間、金額、または在庫管理識別番号（ＳＫＵ；ｓｔｏｃｋ  ｋｅｅｐｉｎｇ  ｕｎｉｔ）からなる群からの、任意の選択を含み得るトランザクションに関連したデータを送信する。また、デバイス５４０は、入力センサの状態（それが、２状態センサ、または追加の状態を有するセンサであるかどうか）に関する追加のデータを含み得る。この組のデータは、ホストコンピュータシステム５２０により受信される。
【００６４】
ホストコンピュータシステム５２０は、トランザクションに関連したデータの組を受信し、トランザクションの取り扱いを決定するために、ＰＩ規則データストア５２５にアクセスする。ＰＩ規則データストア５２５は、多くの異なる出力の１つ以上を識別するために、受信されるデータを処理するための規則を含む。規則のいくつかは、入力センサの状態を表すデータの少なくとも一部分に基づく、トランザクションの承認または拒否に関する。他の規則は、問題の口座の所有者、あるいは他の責任のある当事者のクレジット口座残高、利用可能なクレジット、クレジット歴などを組み入れることに関し得る。したがって、ホストコンピュータシステム５２０はまた、金融機関データストア５３０（例えば、残高または他の口座情報を得るために）と、金融情報データストア５３５（例えば、クレジット格付けまたは履歴を得るために）とをクエリし得、同様にこの情報を規則に適用し得る。ホストコンピュータシステム５２０は、データの組を規則に適用することにより、データの受信された組を処理する。
【００６５】
次に、ホストコンピュータシステム５２０は、応答出力を送信するように構成される。トランザクションデータと、入力センサの状態を定義するデータとの両方が受信される場合、ホストコンピュータシステム５２０は、規則の適用に基づいて、トランザクションを認証または拒否し得る。場合によっては、結果は、入力センサの状態を表すデータに少なくとも部分的に基づく。（入力センサの状態を定義するデータをともなわずに）トランザクションデータのみが受信される場合、規則は、有効なユーザ入力により（すなわち、適切な状態情報により）、提示機器の再使用を命令する、１つ以上の出力を含み得る。
【００６６】
図６は、移動通信デバイスでトランザクションを処理する方法を図示する、本発明の例示的な実施形態６００を説明する。方法は、例えば、図５のホストコンピュータシステム５２０と通信する、図１Ａ、図１Ｂ、または図１Ｃの移動通信デバイス（１００、１５０、１７５）により実行され得る。ブロック６０５では、データ（例えば、口座番号データ）の要求が送信される。要求されたデータは、例えば、移動通信デバイスのメモリユニット上に位置し得る。ブロック６１０では、入力センサ（例えば、デバイス上の）が、動作中（すなわち、接触、圧力、光、静電容量などの閾値以上）、または非動作中（接触、圧力、光、静電容量などの閾値未満）の、２つの状態のうちの１つになる。ブロック６１５では、入力センサが非動作中である場合、その非動作状態が、適用できるコンポーネントを非機能または非動作状態にするため、応答はない。しかしながら、ブロック６２０にあるように、入力センサが動作中である場合、要求されたデータ（例えば、口座番号データ）は、入力センサを動作中と識別する、付加された入力センサからの追加の状態情報とともに送信される。ブロック６２５では、データ（すなわち、要求されたデータと追加の状態情報との両方）が受信され、（例えば、ホストコンピュータシステムにより）ＰＩ規則データベース内の規則に適用される。ブロック６３０では、（例えば、入力センサからの情報に少なくとも部分的に基づくことにより）認証は出力される。
【００６７】
図７は、デバイスでトランザクションを処理する代替方法を図示する、本発明の別の例示的な実施形態７００を説明する。方法は、例えば、図５のホストコンピュータシステム５２０と通信する、図１Ａ、図１Ｂ、または図１Ｃの移動通信デバイス（１００、１５０、１７５）により実行され得る。ブロック７０５では、データ（例えば、口座番号データ）の要求が送信される（例えば、販売時点管理デバイスによる）。データは、移動通信デバイスのメモリユニット上に位置し得る。ブロック７１０では、入力センサは、本実施例において「オン」または「オフ」と呼ばれる、２つの状態のうちの１つになる。ブロック７１５では、入力センサがオフ状態の場合、その非動作状態が、移動通信デバイスの適用できるコンポーネントを非機能または非動作状態にするため、応答はない。しかしながら、ブロック７２０に図示するように、入力センサが代わりに「オン」状態である場合は、所定の期間そこに留まる（例えば、入力センサが、接触、圧力、光、または静電容量の閾値以上または未満になるとき、センサは、少なくともしばらくの間、「オン」状態のままであるため）。「オン」の場合、ブロック７２５における移動通信デバイスは、要求されたデータ（例えば、口座情報、位置、金額、販売業者など）を送信するが、入力センサからの追加の状態情報は送信しない。
【００６８】
ブロック７３０では、受信されたデータは、ＰＩ規則データベースの規則に適用される（例えば、ホストコンピュータシステムによる）。ブロック７３５では、命令は、規則により要求される通り、入力センサからの適切な情報を有する提示機器を再実行するために出力される。ブロック７４０では、デバイス（可能性としては、販売時点管理端末機を介した）は、その動作期間内（すなわち、オフ状態に戻るまで）、命令を受信する。ブロック７４５では、デバイスは、入力センサからの状態情報とともに、要求されたデータを送信する。ブロック７５０では、受信されたデータ（入力センサからの入力を含む）は、ＰＩ規則データベースの規則に適用される（例えば、ホストコンピュータシステムによる）。ブロック７５５では、認証は、入力センサ情報に少なくとも部分的に基づいて出力される。このフローチャートは、移動通信デバイスの機能性（参照番号７６０により識別される点線により図示される）と、ホストコンピュータシステムの機能性（参照番号７６５により識別される点線により図示される）との間の、可能な相互関係の実施例を提供する。
【００６９】
ホストコンピュータ、サーバ、販売時点管理デバイス、端末機、リーダ、移動通信デバイスまたは本明細書中に記載の他のコンピューティングデバイスに使用され得るデバイス構成８００を、図８の概略図に例示する。本図面は、前述のデバイスのそれぞれの個々のシステム要素が、分離した様態、またはより統合された様態かにかかわらず、どのように実装され得るかを大まかに図示する。少なくとも１つのプロセッサ８１０（ＤＳＰまたは特殊目的プロセッサをさらに備え得る）と、少なくとも１つの記憶デバイス８１５と、少なくとも１つの入力デバイス８２０と、少なくとも１つの出力デバイス８２５とを含む、バス８０５を介して電気的に連結された、ハードウェア要素を備える例示的な構成を示す。少なくとも１つの記憶デバイス８１５は、任意のコンピュータ可読記憶媒体と接続される、コンピュータ可読記憶媒体リーダを備え得、組み合わせは、コンピュータ可読情報を一時的に、またはより永続的に含むための、リモート、ローカル、固定、もしくはリムーバブルの記憶デバイスまたは記憶媒体を、包括的に表す。少なくとも１つの通信／電力インターフェース８４５は、データおよび／または電力が、他のデバイスと交換されることを可能にする、有線、無線、または他のタイプのインターフェース接続および／またはアンテナを備え得る。通信／電力インターフェース８４５は、データが、ネットワーク（ネットワーク５１５を含むがこれに限定されない）と交換されることを可能にし得る。
【００７０】
構成８００はまた、オペレーティングシステム８３５と、本発明の方法を実装するように設計されるプログラムまたはアプリケーションなどの、他のコード８４０とを含む、作業メモリ８３０内に一般に位置するとして示される、追加のソフトウェア要素を含み得る。構成は、位置ベースのデータを受信および提供するために、ＧＰＳまたは他の位置レシーバ８５０を含み得る。多くの変形が、特定の要件に従い使用され得ることは、当業者には明らかとなるであろう。例えば、カスタマイズされたハードウェアもまた使用され得るか、または特定の要素が、ハードウェア、ソフトウェア（アプレットなどのポータブルなソフトウェアを含む）、または両方に実装され得る。
【００７１】
留意すべきは、上記の方法、システムおよびデバイスが、本質的に単に例示目的であるということである。種々の実施形態が、必要に応じて、種々の手順またはコンポーネントを省略、置換、または追加し得ることを強調しなければならない。例えば、代替の実施形態において、方法は、記載される方法とは異なる順序で実行され得ること、また種々のステップが、追加、省略または組み合わされ得ることは、十分に理解されるべきである。また、特定の実施形態に関して記載される機能は、他の種々の実施形態で組み合わされ得る。実施形態の種々の局面および要素は、同様の方法で組み合わされ得る。また、技術は発達し、したがって、要素の多くは本質的に例示的なものであり、本発明の範囲を制限すると解釈されるべきではないことは、強調されるべきである。
【００７２】
実施形態の完全な理解を提供するために、説明において具体的な詳細が提供される。しかしながら、実施形態が、これらの具体的な詳細をともなうことなく実施され得ることは、当業者には理解されるであろう。例えば、周知の回路、プロセス、アルゴリズム、構成、および技術が、実施形態を不明瞭にすることを回避するために、不必要な詳細をともなうことなく示されてきた。
【００７３】
また、実施形態は、フローチャート、データフロー図、またはブロック図として描写されるプロセスとして記載され得ることが留意される。これらの図は、逐次プロセスとしての動作を説明し得るが、動作の多くを、並行または同時に実行することが可能である。さらに、動作の順序は再構成され得る。プロセスは、その動作が完了すると終了するが、図面には含まれない追加のステップを有する場合がある。
【００７４】
さらに、本明細書中に開示されるときに、用語「メモリユニット」および「データを格納するための手段」は、読出し専用メモリ（ＲＯＭ）、ランダムアクセスメモリ（ＲＡＭ）、磁気ＲＡＭ、コアメモリ、磁気ディスク記憶媒体、光記憶媒体、フラッシュメモリデバイスまたは情報を格納するための他のマシン可読媒体を含む、データを格納するための１つ以上のデバイスを表し得る。用語「コンピュータ可読媒体」は、ポータブルまたは固定記憶デバイス、光記憶デバイス、無線チャネル、ＳＩＭカード、他のスマートカード、および命令またはデータを格納、収納または携帯することができる他の種々の媒体を含むが、これらに限定されない。
【００７５】
さらに、実施形態は、ハードウェア、ソフトウェア、ファームウェア、ミドルウェア、マイクロコード、ハードウェア記述言語、またはそれらの任意の組み合わせにより実行され得る。ソフトウェア、ファームウェア、ミドルウェア、またはマイクロコードで実装されるとき、必要なタスクを実行するためのプログラムコードまたはコードセグメントは、メモリユニットなどのコンピュータ可読媒体内に格納され得る。プロセッサは、必要なタスクを実行し得る。
【００７６】
いくつかの実施形態を記載してきたが、種々の修正、代替の構成、および同等物が、本発明の精神から逸脱することなく使用され得ることは、当業者には認識されるであろう。例えば、上記の要素は、より大きいシステムのコンポーネントに過ぎない場合があり、他の規則が、本発明の適用に優先するか、あるいは本発明の適用を修正する場合がある。また、上記の要素が考慮される前に、多くのステップが必要とされ得る。したがって、上記の説明は、添付の特許請求の範囲で定義される本発明の範囲を、制限するとみなされるべきではない。
【図面の簡単な説明】
【００７７】
【図１Ａ】図１Ａ〜図１Ｃはそれぞれ、本発明の種々の実施形態に従い構成される入力センサを有する、移動通信デバイスを例示する、簡略化したブロック図である。
【図１Ｂ】図１Ａ〜図１Ｃはそれぞれ、本発明の種々の実施形態に従い構成される入力センサを有する、移動通信デバイスを例示する、簡略化したブロック図である。
【図１Ｃ】図１Ａ〜図１Ｃはそれぞれ、本発明の種々の実施形態に従い構成される入力センサを有する、移動通信デバイスを例示する、簡略化したブロック図である。
【図２Ａ】図２Ａは、本発明の一実施形態に従った、移動通信デバイスの背面図である。
【図２Ｂ】図２Ｂは、図２Ａに例示する移動通信デバイスの、特定のコンポーネントのブロック図である。
【図２Ｃ】図２Ｃ〜図２Ｅは、本発明の種々の実施形態に従い構成される、移動通信デバイスの背面図を含む。
【図２Ｄ】図２Ｃ〜図２Ｅは、本発明の種々の実施形態に従い構成される、移動通信デバイスの背面図を含む。
【図２Ｅ】図２Ｃ〜図２Ｅは、本発明の種々の実施形態に従い構成される、移動通信デバイスの背面図を含む。
【図３】図３は、本発明の種々の実施形態に従い構成される、入力センサを有する移動通信デバイスの、代替の構成を例示する簡略化したブロック図である。
【図４Ａ】図４Ａ〜図４Ｃは、本発明の種々の実施形態に従い構成される、移動通信デバイスに組み込まれる入力センサに適用できる、種々の状態図を含む。
【図４Ｂ】図４Ａ〜図４Ｃは、本発明の種々の実施形態に従い構成される、移動通信デバイスに組み込まれる入力センサに適用できる、種々の状態図を含む。
【図４Ｃ】図４Ａ〜図４Ｃは、本発明の種々の実施形態に従い構成される、移動通信デバイスに組み込まれる入力センサに適用できる、種々の状態図を含む。
【図５】図５は、本発明の種々の実施形態に従い構成される、移動通信デバイスからの情報と入力とを処理するためのシステムの図である。
【図６】図６は、本発明の種々の実施形態に従い構成される、移動通信デバイスからの情報と入力とを処理するための方法を例示する。
【図７】図７は、本発明の種々の実施形態に従い構成される、移動通信デバイスからの情報と入力とを処理するための代替の方法を例示する。
【図８】図８は、本発明の種々の実施形態で使用され得る、代表的なデバイス構成を例示する概略図である。
【図１Ａ】
2009536509.tif 000003
【図１Ｂ】
2009536509.tif 000004
【図１Ｃ】
2009536509.tif 000005
【図２Ａ】
2009536509.tif 000006
【図２Ｂ】
2009536509.tif 000007
【図２Ｃ】
2009536509.tif 000008
【図２Ｄ】
2009536509.tif 000009
【図２Ｅ】
2009536509.tif 000010
【図３】
2009536509.tif 000011
【図４Ａ】
2009536509.tif 000012
【図４Ｂ】
2009536509.tif 000013
【図４Ｃ】
2009536509.tif 000014
【図５】
2009536509.tif 000015
【図６】
2009536509.tif 000016
【図７】
2009536509.tif 000017
【図８】
2009536509.tif 000018
【国際調査報告】
2009536509.tif 000019